(57)【特許請求の範囲】
【請求項１】
一端部が可撓性の集塵ホースを介して掃除機本体に接続され且つ他端に延長管を介して吸込口体が接続される電気掃除機の手元操作パイプと、前記手元操作パイプに設けられ且つ第１固定接点と第２固定接点を形成したパターン回路を表面に設けた基板と、前記２つの固定接点の一方と縁部が接し且つ表面側からの押圧によって変形して前記２つの固定接点の他方と中央部が接する導電性でドーム状の弾性接片と、可撓性のカバーフィルムと該カバーフィルムの裏面全体に設けられた接着手段を備え且つ前記接着手段を介して前記弾性接片及びその周囲の部分に接着固定されたカバーと、前記弾性接片の縁部上に一部が跨るように前記カバーに形成された給排気口を備えた電気掃除機の手元スイッチ構造であって、
前記給排気口は前記弾性接片の延長管側の縁部上に跨っていると共に、前記カバーとの間に隙間を形成可能に前記カバーを覆う銘板を有し、前記弾性接片を押圧して前記弾性接片内のエアを前記給排気口を介して前記隙間内に排気させたとき、前記隙間のエアを大気に排気させるエア孔が前記基板に設けられていることを特徴とする電気掃除機の手元スイッチ構造。
【請求項２】
前記給排気口が手元操作パイプの長手方向に細長く延びていることを特徴とする請求項１に記載の電気掃除機の手元スイッチ構造。
【請求項３】
前記弾性接片が円形ドーム状に形成されていると共に、前記弾性接片の中心を通り且つ前記手元操作パイプの軸線と平行な仮想線を想定したとき、前記給排気口は前記仮想線に対して左右にずれても前記弾性接片との重なり面積が減少が僅かとなる範囲内に配置されていることを特徴とする請求項１又は２に記載の電気掃除機の手元スイッチ構造。
【請求項４】
前記接着手段は、前記基板の前記弾性接片周囲に固着された絶縁層と、前記カバーの裏面全体に設けられて前記カバーを前記弾性接片及び前記絶縁層上に接着固定している接着剤層とを備え、前記接着剤層の厚さは前記絶縁層の厚さより充分薄く形成されていることを特徴とする請求項１〜３のいずれか一つに記載の電気掃除機の手元スイッチ構造。
【請求項５】
前記給排気口は、前記カバーフィルムに設けられた第１の長孔と、前記接着剤層に設けられ且つ両端部が前記第１の長孔よりも長く形成された第２の長孔とから形成されていることを特徴とする請求項４に記載の電気掃除機の手元スイッチ構造。
【発明の詳細な説明】
【０００１】
【産業上の利用分野】
この発明は、掃除機本体に接続された集塵ホースと吸込口体に接続された延長管との間の手元操作パイプに設けられる電気掃除機の手元スイッチ構造に関するものである。
【０００２】
【従来の技術】
従来、例えば、家庭用の電気掃除機は、図５(a)に示した様に、電動送風機（図示せず）が内蔵された掃除機本体Ａを有すると共に、手元操作パイプ１の一端に延長管２，２を介して吸込口体Ｂが接続され、手元操作パイプ１の他端と一体の蛇腹状の集塵ホース３が掃除機本体Ａの集塵室（図示せず）に接続された構成を備えているのが普通である。
【０００３】
尚、この吸込口体Ｂとしては、下方に開口する塵埃吸込用の吸込口に回転清掃体を設けるとと共に、この回転清掃体をモータにより電動駆動するようにしたものもある。そして、手元操作パイプ１は、吸込口体Ｂの移動操作や、掃除機本体Ａ内の電動送風機のパワーの切り換え，吸込口体Ｂ内のモータのON・OFF操作を行うために用いられる。
【０００４】
手元操作パイプ１は、図５(b)，(c)に示した様に、延長管２を手元操作パイプ１から取り外す際に押圧される接続ロック解除ボタン４、各種スイッチＳ１〜Ｓ５を有するスイッチ部５、吸込口体Ｂの移動方向等を操縦する把手部６を備えている。
【０００５】
スイッチ部５は、図６(a)，(b)に示すように、手元操作パイプ１に固定された基板７と、基板７の表面にスイッチＳ１〜Ｓ５に対応するように配置されたドーム状の導体からなる複数のディスク（弾性接片）８，８…と、ディスク８，８…及び基板７を覆う可撓性のカバー９と、カバー９の上に設けられた可撓性の銘板１０とを備えている。
【０００６】
基板７の表面には、各ディスク８の中央に対向する円形状の第１固定接点７ａ（一つのみ図示）と、第１固定接点７ａの周囲を囲む第２固定接点７ｂ（一つのみ図示）とを互いに絶縁状態で形成したパターン回路基板が用いられている。
【０００７】
第１固定接点７ａは、図７(a)に示す様に、その肉厚が第２固定接点７ｂの肉厚よりも薄く形成されている。また、第１固定接点７ａは常時はディスク８から離間し、第２固定接点７ｂはディスク８の周縁部と当接し、ディスク８が表面から押されると弾性変形して第１固定接点７ａともディスク８が当接し、これにより第１固定接点７ａと第２固定接点７ｂとが電気的に接続してスイッチＳ１〜Ｓ５の操作に応じて電源のオン・オフ、電動送風機のパワーの切り換え、ブラシモータ（図示せず）のオン・オフ等が行なえる。
【０００８】
カバー９には、図７(a)，(b)に示すように、ディスク８の周囲に形成される隙間Ｊの位置に通気孔９ａ（給排気口）が設けられており、ディスク８が弾性変形した際にディスク８が形成する空間Ｈの空気を、各固定接点７ａ，７ｂの絶縁空間並びに隙間Ｊを介して通気孔９から空間外部へ排出し、ディスク８が元の形状に復帰する際に空間外の空気を通気孔９ａから隙間Ｊ並びに各固定接点７ａ，７ｂの絶縁空間を介して空間Ｈへ吸気させてディスク８の変形並びに復帰がスムーズに行われるようになっている。
【０００９】
また、カバー９の裏面全体にはスイッチ操作中にディスク８が位置ズレを起さないように接着剤（図示せず）が設けられていて、この接着剤によりカバー９が基板７の表面にディスク８と一体に接着固定される。尚、隙間Ｊは、ディスク８の肉厚並びにドーム形状により基板７から剥離することにより形成される。
【００１０】
銘板１０は、その周縁部が手元操作パイプ１の取付凹部１ａに接着され、カバー９に対してはフリーの状態となっている。また、銘板１０は、埃や湿った塵埃等が基板７とディスク６の間に入り込むことを防止するもので、これより各スイッチＳ１〜Ｓ５の動作不良や短絡事故を防止することができる。
【００１１】
尚、このようなスイッチ構造とする理由は、手元操作パイプ１の操作部４の面積が限られており、この限られた面積の操作部４になるべく操作面の大きいスイッチＳ１〜Ｓ５を設けて操作性を良くし、且つ、スイッチ構造を薄くして手元操作パイプ１の機能性、操縦性並びに意匠性を向上させるためである。
【００１２】
【発明が解決しようとする課題】
ところで、上記の如く構成された電気掃除機にあっては、各スイッチＳ１〜Ｓ５の通気孔９ａが把手部６側に位置していたため、スイッチＳ１〜Ｓ５を押圧操作する際に、その操作する指が通気孔９ａに重なり易かった。しかし、この様に、通気孔９ａに指が重なると、ディスク８を押圧する際には銘板１０を介して通気孔９ａを塞いで空間Ｈ内の空気の排出が困難となるため変形し難いという問題が生じる。
【００１３】
また、ディスク８の変形後には、接着剤がカバー９の裏面全体に設けられているため、通気孔９ａの周縁部が一時的に基板７に接着されて空間Ｈへの空気の吸気が困難となり、ディスク８の変形復帰に時間を要するという問題が生じ、相対的にはディスク８のスイッチ操作に対するクリック感が得られ難いという問題が生じていた。
【００１４】
特に、図５に示した様な把手部（握り部）６のないタイプの手元操作パイプ、すなち図８に示した様な手元操作パイプ１´に上述したスイッチ構成を適用した場合、手元操作パイプ１´は径が小さいために、スイッチ構造自体を小さくする必要がある。即ち、ディスク８の径を図５に示したものよりも小さくすると共に、通気孔９ａをディスク８の手前側の部分に重なる様に配置することも考えられる。しかし、この場合には、スイッチＳ１〜Ｓ５を押圧操作する際に、その操作する指が特に通気孔９ａに重なり易いという問題がある。
【００１５】
そこで、本発明は、操作されるスイッチの給排気口（通気孔）が指で塞がれることがなく、ディスクの変形・復帰をスムースに行うことができ、しかも、スイッチ操作時のクリック感を良好に得ることができる電気掃除機を提供することを目的とする。
【００１６】
【課題を解決するための手段】
この目的を達成するため、請求項１の発明は、一端部が可撓性の集塵ホースを介して掃除機本体に接続され且つ他端に延長管を介して吸込口体が接続される電気掃除機の手元操作パイプと、前記手元操作パイプに設けられ且つ第１固定接点と第２固定接点を形成したパターン回路を表面に設けた基板と、前記２つの固定接点の一方と縁部が接し且つ表面側からの押圧によって変形して前記２つの固定接点の他方と中央部が接する導電性でドーム状の弾性接片と、可撓性のカバーフィルムと該カバーフィルムの裏面全体に設けられた接着手段を備え且つ前記接着手段を介して前記弾性接片及びその周囲の部分に接着固定されたカバーと、前記弾性接片の縁部上に一部が跨るように前記カバーに形成された給排気口を備えた電気掃除機の手元スイッチ構造であって、
前記給排気口は前記弾性接片の延長管側の縁部上に跨っていると共に、前記カバーとの間に隙間を形成可能に前記カバーを覆う銘板を有し、前記弾性接片を押圧して前記弾性接片内のエアを前記給排気口を介して前記隙間内に排気させたとき、前記隙間のエアを大気に排気させるエア孔が前記基板に設けられていることを特徴とする。
【００１７】
請求項２の発明は、前記給排気口が手元操作パイプの長手方向に細長く延びていることを特徴とする。
【００１８】
請求項３の発明は、前記弾性接片が円形ドーム状に形成されていると共に、前記弾性接片の中心を通り且つ前記手元操作パイプの軸線と平行な仮想線を想定したとき、前記給排気口は前記仮想線に対して左右にずれても前記弾性接片との重なり面積が減少が僅かとなる範囲内に配置されていることを特徴とする。
【００１９】
請求項４の発明は、前記接着手段は、前記基板の前記弾性接片周囲に固着された絶縁層と、前記カバーの裏面全体に設けられて前記カバーを前記弾性接片及び前記絶縁層上に接着固定している接着剤層とを備え、前記接着剤層の厚さは前記絶縁層の厚さより充分薄く形成されていることを特徴とする。
【００２０】
請求項５の発明は、前記給排気口は、前記カバーフィルムに設けられた第１の長孔と、前記接着剤層に設けられ且つ両端部が前記第１の長孔よりも長く形成された第２の長孔とから形成されていることを特徴とする。
【００２１】
【発明の実施の形態】
以下、この発明の実施の形態を図１〜図４に基づいて説明する。
【００２２】
図３(a)において、２０は図示しない集塵室及びこの集塵室に吸引負圧を作用させる電動送風機（図示せず）を内部に備える掃除機本体、２１は一端部が掃除機本体２０の集塵室に接続された蛇腹状の可撓性の集塵ホース、２２は一端が集塵ホース２１の他端部に接続された手元操作パイプ、２３，２３は手元操作パイプ２２に他端に直列に接続された延長管、２４は延長管２３の先端に接続されたパワーブラシとしての吸込口体である。尚、吸込口体２４は、下方に開口する吸込口内に配設された回転清掃体（図示せず）と、吸込口体２４内に装着されて回転清掃体を回転駆動するいモータ（図示せず）を有する。
【００２３】
手元操作パイプ２２は、くの字状に折曲されたパイプ部２２ａと、吸込口体２３の移動操作をするためにパイプ部２２ａの中間部に設けられた把手部（握り部）２２ｂと、図３(a)中、把手部２２ｂ下部側に設けられたスイッチ部３０を有する。尚、図５(a)に示した従来の手元操作パイプ１は、中間部の径が延長管２や集塵ホース３の径よりもかなり大きく形成されていて、見栄えや取扱性が多少悪い。しかし、本実施例におけるパイプ部２２ａは、径が集塵ホース２１や延長管２３の径と略同じに比較的に細く形成されているので、見栄えや取扱性がよい。
【００２４】
スイッチ部３０は、図１(c)，図３(b)，(c)に示すように、手元操作パイプ２２に着脱可能に取り付けられた基板３１を有する。また、スイッチ部３０は、図１(c)に示した様に、基板３１の上に配設された可撓性ベース部材３２と、可撓性ベース部材３２上に直列に配列された複数のスイッチＳ１〜Ｓ５を有する。この可撓性ベース部材３２は、ベースフィルム３２ａと、ベースフィルム３２ａの裏面に設けられてベースフィルム３２ａを基板３１に接着固定しているフィルム接着剤層３２ｂを有する。尚、各スイッチＳ１〜Ｓ５は、電源のOFF操作に用いる「切」，「弱」，「標準」，「強」，「パワーブラシ」等に対応しているが、構造が同じなのでスイッチＳ１及び共通の部分に付いてのみ以下に説明し、他のスイッチＳ２〜Ｓ５の説明は省略する。
【００２５】
このスイッチＳ１は、ベースフィルム３２上に配設された銅箔からなる導電パターン３３，３４と、この導電パターン３３，３４を可撓性ベース部材３２上に接着固定しているパターン接着剤層３５と、導電パターン３４，３５上に配設された絶縁層３６を有する。この絶縁層３６は、可撓性の絶縁フィルム３６ａと、この絶縁フィルム３６ａを導電パターン３４，３５上に接着固定しているフィルム接着剤層３６ｂを有する。この絶縁層３６には、導電パターン３４，３５の対向端部３４ａ，３５ａを露出させる円形孔３６ｃが形成されている。
【００２６】
更に、スイッチＳ１は、円形孔３６ｃ内において導電パターン３４，３５の対向端部３４ａ，３５ａ上に半田メッキにより形成された固定接点３７，３８と、一縁部が固定接点３７上に当接させられ且つこの縁部とは反対側の縁部が絶縁フィルム３６上に当接させられた円形且つドーム状で導電性の金属からなるディスク（弾性接片）３９と、ディスク３９及び絶縁フィルム３６ａを覆う可撓性のカバー４０と、カバー４０の上に設けられた可撓性の銘板４１を有する。
【００２７】
この様に、ディスク３９の互いに反対側の端縁を段違いに配置することで、ディスク３９の側方（図１(a)中左右側）と固定接点３７，３８等との図示しない隙間が形成され、この隙間が内部のエアの給排に有効に用いられる。尚、銘板４１は、その周縁部が手元操作パイプ２２の取付凹部２２ａに接着され、カバー４０に対してはフリーの状態となっている。また、銘板４１は、埃や湿った塵埃等が基板３１とディスク３９の間に入り込むことを防止するもので、これより各スイッチＳ１〜Ｓ５の動作不良や短絡事故を防止することができる。
【００２８】
また、カバー４０は、透明で可撓性のあるカバーフィルム４０ａと、カバーフィルム４０ａの裏面全体に設けられたカバー接着剤層４０ｂを有する。このカバー接着剤層４０ｂは、カバーフィルム４０ａをディスク３９及び絶縁フィルム３６ａ上に接着固定して、ディスク３９が固定接点３７，３８に対してずれないようにしている。尚、このカバー接着剤層４０ｂと絶縁層３６は、カバー４０をディスク３９に接着すると共に、ディスク３９及び固定接点３７，３８の周囲に位置させてカバー４０をベースフィルム３２及び導電パターン３４，３５の部分に接着する、接着手段を構成している。
【００２９】
また、カバー４０と固定接点３７との間にはディスク３９の周囲に位置させて隙間４２が形成されている。この隙間４２は、ディスク３９の側方に形成される図示しない隙間を介してディスク３９内に連通している。
【００３０】
しかも、カバー４０には、図１(a)〜(c)，図２(a)，(b)，図３(c)に示した様に、ディスク３９の延長管２３側縁部に一部が跨るスリット状の通気孔４３（長孔すなわち給排気口）が形成されている。この通気孔４３は、カバーフィルム４０ａに設けられた長孔４３ａと、カバー接着剤層４０ｂに設けられた長孔４３ｂから構成されている。また、この通気孔４３は、手元操作パイプ２２の長手方向に細長く延びている。また、図１(b)に示した様に、ディスク３９の中心Ｏを通り且つ手元操作パイプ２２の軸線と平行な仮想線４４を想定したとき、通気孔４３は仮想線４４に対して左右にずれてもディスク３９との重なり面積が減少が僅かとなる範囲内に配置されている。
【００３１】
例えば、ディスク３９の径が８mmで，通気孔４３の幅を２mm，通気孔４３の長さを４mmとした場合に、通気孔４３はその半分の２mmがディスク３９に跨って（かかって）いる。しかも、この状態で、通気孔４３を設ける位置は、仮想線４４を中心として、通気孔４３の中心線を左右に１mm（通気孔４３の幅の半分）以内に位置させるのが最も好ましい。しかし、通気孔４３の中心線を、左右に１mm〜左右に３mm（通気孔４３の幅の１．５個分）の範囲に位置させても良い。この範囲では、通気孔４３が仮想線４４から左右にずれても、通気孔４３がディスク３９に跨る（かかる）面積は殆ど変化しない。
【００３２】
また、ディスク３９を上方から押したときに指がかからない範囲を、ディスク３９の中心Ｏを中心に仮想線４４の左右にαの範囲（全体では２αの範囲）とすると、αは４５゜の範囲（全体すなわち２αは９０゜の範囲）内の範囲が好ましいが、性能の多少の低下を気にしなければその角度範囲を多少越えても良い。
【００３３】
更に、本実施例では、カバー接着剤層４０ｂの厚さａは、図２(a)に示すように固定接点３７の上面から絶縁フィルム３６ａ上面までの厚さｂの２／３〜半分以下に設定されている。これにより、図２(b)に示すように仮に通気孔４２の部分が下方に矢印４５で示すように押圧され厚さａだけ下方に変位しても、ｂ−ａの隙間がカバー接着剤層４０ｂと固定接点３７との間に確保されるので、カバー接着剤４０ｂが固定接点３７に接着されて通気がなくなる様なことはない。
【００３４】
尚、厚さａを図２(c)に示すように厚さｂ又はそれ以上に設定すると共に、通気孔４３´がディスク３９にかからない大きさにした場合には、通気孔４２の部分が下方に矢印４６で示すように押圧されると、カバー接着剤４０ｂが固定接点３７に接着されて通気がなくなるので好ましくないので、この構成は本実施例では採用しない。
【００３５】
次に、この様な構成の電気掃除機の手元スイッチ構造の作用を説明する。
【００３６】
この様な構成においては、銘板４１上からカバー４０及びディスク３９を下方に押圧することにより、ディスク３９内のエアがディスク３９の側方の隙間（図示せず），間隙４２及び通気孔４３を介して銘板４１とカバー４０との間の隙間４７（図１（ｃ）参照）に排気されて図示しないエア孔から大気に排気される。尚、このエア孔は基板３１に設けられている。また、この際、ディスク３９の中央が固定接点３８に接触させられて、固定接点３７，３８同士がディスク３９により導通させられる。しかも、この操作に際して、ディスク３９は通気孔４３と反対側から押されるので、指による押圧力によって通気孔４３が閉塞されることはない。
【００３７】
一方、銘板４１上から押圧力を解除すると、ディスク３９は自己の弾性力により原状に復帰して、ディスク３９が固定接点３８かから離反する。この際、銘板４１とカバー４０との間の隙間４７（図１（ｃ）参照）内のエアが通気孔４３，隙間４２等を介してディスク３９内に給気される。
【００３８】
以上説明した実施例では、給排気口としての通気孔４３を形成する第１，第２の長孔４３ａ，４３ｂを同じ長さに形成しているが必ずしもこれに限定されるものではない。例えば、第１図(d)の如くカバー接着剤層４０ｂに設けた第２の長孔４３ｂの両端部を第１の長孔４３ａよりも長く形成して、ディスク３９がカバー４０と共に押圧されたときに、カバー接着剤層４０ｂが変形して固定接点３７接着することがない様にすることもできる。
【００３９】
この様な構成とするこにより、ディスク３９の径を小さくして、手元操作パイプ２２の径を小さくできる。これにより、把手部２２ｂが設けられた手元操作パイプ２２のパイプ部２２ａの径を集塵ホース２１や延長管２３の径と略同じに比較的に細く形成して、見栄えや取扱性をよくできる。
【００４０】
しかも、この構成を採用することにより、図４に示した様な、把手部がないタイプで且つ延長管２３と同径の手元操作パイプ２２´にも本願発明の構成を採用することができる。
【００４１】
【発明の効果】
以上説明したように、請求項１の発明は、一端部が可撓性の集塵ホースを介して掃除機本体に接続され且つ他端に延長管を介して吸込口体が接続される電気掃除機の手元操作パイプと、前記手元操作パイプに設けられ且つ第１固定接点と第２固定接点を形成したパターン回路を表面に設けた基板と、前記２つの固定接点の一方と縁部が接し且つ表面側からの押圧によって変形して前記２つの固定接点の他方と中央部が接する導電性でドーム状の弾性接片と、可撓性のカバーフィルムと該カバーフィルムの裏面全体に設けられた接着手段を備え且つ前記接着手段を介して前記弾性接片及びその周囲の部分に接着固定されたカバーと、前記弾性接片の縁部上に一部が跨るように前記カバーに形成された給排気口を備えた電気掃除機の手元スイッチ構造であって、前記給排気口は前記弾性接片の延長管側の縁部上に跨っていると共に、前記カバーとの間に隙間を形成可能に前記カバーが銘板で覆われ、前記カバーとの間に隙間を形成可能に前記カバーを覆う銘板を有し、前記弾性接片を押圧して前記弾性接片内のエアを前記給排気口を介して前記隙間内に排気させたとき、前記隙間のエアを大気に排気させるエア孔が前記基板に設けられている構成としたので、操作されるスイッチの給排気口（通気孔）が指で塞がれることがなく、弾性接片の変形・復帰をスムースに行うことができ、しかも、スイッチ操作時のクリック感を良好に得ることができる。しかも、銘板は埃や湿った塵埃等が基板とディスクの間に入り込むことを防止するので、これより各スイッチの動作不良や短絡事故を防止することができる。
【００４２】
また、請求項２の発明は、前記給排気口が手元操作パイプの長手方向に細長く延びている構成としたので、給排気口が弾性接片に対して手元操作パイプの長手方向及び側方に多少ずれても、弾性接片内への給排気を良好に行うことができる。
【００４３】
請求項３の発明は、前記弾性接片が円形ドーム状に形成されていると共に、前記弾性接片の中心を通り且つ前記手元操作パイプの軸線と平行な仮想線を想定したとき、前記給排気口は前記仮想線に対して左右にずれても前記弾性接片との重なり面積が減少が僅かとなる範囲内に配置されている構成としたので、多少左右にずれた位置に設けられていたとして、押圧操作される弾性接片の給排気口（通気孔）が押圧操作される指で塞がれることがなく、弾性接片内への給排気を良好に行うことができる。このため、カバーの組付が容易となる。
【００４４】
請求項４の発明は、前記接着手段は、前記基板の前記弾性接片周囲に固着された絶縁層と、前記カバーの裏面全体に設けられて前記カバーを前記弾性接片及び前記絶縁層上に接着固定している接着剤層とを備え、前記接着剤層の厚さは前記絶縁層の厚さより充分薄く形成されている構成としたので、カバーの通気孔の部分が押圧されても、カバー接着剤層が固定接点等に付着するような自体が生じるのを確実に防止できる。
【００４５】
請求項５の発明は、前記給排気口は、前記カバーフィルムに設けられた第１の長孔と、前記接着剤層に設けられ且つ両端部が前記第１の長孔よりも長く形成された第２の長孔とから形成されている構成としたので、弾性接片がカバーと共に押圧されたときに、カバー接着剤層が変形して固定接点に接着するのを確実に防止できる。
【図面の簡単な説明】
【図１】(a)は図３(b)，(c)に示し銘板を除いたたカバーの部分の平面図、(b)は図１(a)の部分拡大図、(c)は図１(b)のＤ−Ｄ線に沿う断面図、(d)は図１(c)の他の変形例を示す要部断面図である。
【図２】(a)，(b)はこの発明にかかる電気掃除機の手元スイッチ構造の作用説明図、(c)，(d)は(a)，(b)と異なる手元スイッチ構造の作用説明図である。
【図３】(a)は図１(a)〜(c)に示した手元スイッチ構造を備える電気掃除機の概略斜視図、(b)は(a)の手元操作パイプの一部を破断して示した平面図、(c)は(b)の拡大説明図である。
【図４】(a)は図１(a)〜(c)に示した手元スイッチ構造を備える電気掃除機の他の例を示す概略斜視図、(b)は(a)の手元操作パイプの一部を破断して示した平面図、(c)は(b)の拡大説明図である。
【図５】(a)は手元スイッチ構造を備える電気掃除機の概略斜視図、(b)は(a)の手元操作パイプの側面図、(c)は(b)の平面図である。
【図６】(a)は図５(c)のＥ−Ｅ線に沿う拡大断面図、(b)は(a)の一部を破断して示した平面図である。
【図７】(a)は図６(a)の部分拡大断面図、(b)は(a)の一部を破断して示した平面図である。
【図８】(a)は手元スイッチ構造を備える他の電気掃除機の概略斜視図、(b)は(a)の一部を破断して示した平面図である。
【符号の説明】
２０…掃除機本体
２１…集塵ホース
２２…手元操作パイプ
２３…延長管
２４…吸込口体
２７…第１固定接点
２８…第２固定接点
３１…基板
３６…絶縁層
３９…ディスク（弾性接片）
４０…カバー
４０ａ…カバーフィルム
４０ｂ…接着剤層
４３…通気孔（給排気口）
４３ａ…第１の長孔
４３ｂ…第２の長孔
４４…仮想線
【図１】
0003720128.tif 000002
【図２】
0003720128.tif 000003
【図３】
0003720128.tif 000004
【図４】
0003720128.tif 000005
【図５】
0003720128.tif 000006
【図６】
0003720128.tif 000007
【図７】
0003720128.tif 000008
【図８】
0003720128.tif 000009